(57)【要約】　　　（修正有）【課題】仕掛けの状態やえさの状態を確認するために適切な器具、即ち仕掛けの作製場所に容易に設置可能且つ収納に場所をとらず、充分な深度を有し、仕掛けの状態やえさの状態を容易且充分に確認することができる水槽を提供する。【解決手段】横断面円弧状の湾曲板の筒部材２１，２２を結合部材２７を用いて結合して筒体２を構成し、筒体に打抜き部２５を設けると共に該打抜き部を塞ぐ透明な窓板２６を設置し、筒体の内部に防水性を備えると共に内部が目視可能な袋４を挿入設置した組立水槽１。【選択図】  図１
0003099674.tif 000002
【実用新案登録請求の範囲】
【請求項１】
　少なくとも２枚以上の板状の筒部材を結合して構成した筒体の内部に防水性を備えると共に透明な袋を挿入設置したことを特徴とする組立水槽。
【請求項２】
　少なくとも１枚の筒部材に打抜き部を設け、該打抜き部を塞ぐ透明な窓板を設置したことを特徴とする請求項１記載の組立水槽。
【請求項３】
　筒体の下端部と結合し筒体の底面を構成する底板を設けたことを特徴とする請求項１又は請求項２記載の組立水槽。
【請求項４】
　筒部材は横断面円弧状の湾曲板であって、筒体は円筒状であることを特徴とする請求項１乃至請求項３記載の組立水槽。
【請求項５】
　隣接する筒部材が接する両筒部材の側端部の一方に他方の側端部を挿入する係合部を設けたことを特徴とする請求項１乃至請求項４記載の組立水槽。
【請求項６】
　隣接する筒部材同士を結合且つ分解可能な結合部材を用いて結合して筒体を形成することを特徴とする請求項１乃至請求項５記載の組立水槽。
【請求項７】
　隣接する筒部材同士を筒部材の側端部に設けたフックを用いてスライド結合して筒体を形成することを特徴とする請求項１乃至請求項４記載の組立水槽。
【請求項８】
　筒体は少なくとも３枚以上の平板状の筒部材を結合して構成し、筒部材同士の結合は少なくても１の結合部は開閉自在に結合部材を用い、他の結合部は回動自在に枢支することを特徴とする請求項１乃至請求項３記載の組立水槽。
【考案の詳細な説明】
【技術分野】
【０００１】
　本考案は組立水槽に関し、特に魚釣りの仕掛けの状態を観察するのに適している組立水槽に関する。
【背景技術】
【０００２】
　魚釣りに出かける場合に仕掛けを釣りをする現場で作成する場合もあるが、基本的には予め作成して、完成した仕掛けを持っていくことが行われている。仕掛けはえさと共に釣果に大きく影響を与えるので、しっかりしたもの、バランスのとれたものを作ることが必要である。特にウキのバランス（えさ落ち目盛り）を決定することは大切であるし、又、針にえさをつけた状態では仕掛けがどのような状態になるのかを把握することが望ましい。更に、練り餌等の溶け具合を把握することも重要である。
【０００３】
　しかし、このような仕掛けの状態やえさの状態を確認するに際しては適切な器具がなく、風呂の湯船や水槽を用いて行っているのが現状である（非特許文献１参照。）。しかし、湯船では仕掛けの状態やえさの溶け具合を横から見ることができず、深度も浅くたりず、上から覗き込んで観察しなければならないため容易且充分に確認ができない。又、湯船に水が張ってあるとは限らず、そのために水をはるのは時間もかかるし水ももったいない。又、釣具を湯船に入れることは衛生的にも望ましくはない。更に、仕掛けを作るためには糸、針、ヨリモドシや丸カン等のジョイント、オモリ、ウキ等多くのパーツを広げるのである程度の広い場所が必要であり、風呂場での作製は困難であり、作製の場に仕掛け確認のための水を満たしたものがないのは不便である。一方通常の魚を飼育する水槽を用いる場合には仕掛けのバランスを見るための深度が不十分であったり、魚を飼っている水槽を用いることは魚が釣れてしまったり不都合があり、魚を飼っていなければ水槽を所有していることもないのが通常である。又、通常の水槽は組立式ではなく、水圧に耐えるために頑丈なつくりで重く、収納に場所をとり不便であった。
【０００４】
【非特許文献１】中村淳一、「北のヘラブナ釣り入門」、初版、北海道新聞社、２０００年８月３１日、ｐ．２８
【考案の開示】
【考案が解決しようとする課題】
【０００５】
　そこで、本考案は上記従来の欠点を解消し、仕掛けの状態やえさの状態を確認するために適切な器具、即ち仕掛けの作製場所に容易に設置可能且つ収納に場所をとらず、充分な深度を有し、仕掛けの状態やえさの状態を容易且充分に確認することができる水槽を提供することを目的とする。
【課題を解決するための手段】
【０００６】
　上記課題を解決するための第一の手段は、少なくとも２枚以上の板状の筒部材を結合して構成した筒体の内部に防水性を備えると共に透明な袋を挿入設置したことを特徴とする組立水槽である。
【０００７】
　又、第二の手段は、第一の手段において、少なくとも１枚の筒部材に打抜き部を設け、該打抜き部を塞ぐ透明な窓板を設置したことを特徴とする組立水槽である。
【０００８】
　又、第三の手段は、第一又は第二の手段において、筒体の下端部と結合し筒体の底面を構成する底板を設けたことを特徴とする組立水槽である。
【０００９】
　又、第四の手段は、第一乃至第三の手段において、筒部材は横断面円弧状の湾曲板であって、筒体は円筒状であることを特徴とする組立水槽である。
【００１０】
　又、第五の手段は、第一乃至第四の手段において、隣接する筒部材が接する両筒部材の側端部の一方に他方の側端部を挿入する係合部を設けたことを特徴とする組立水槽である。
【００１１】
　又、第六の手段は、第一乃至第五の手段において、隣接する筒部材同士を結合且つ分解可能な結合部材を用いて結合して筒体を形成することを特徴とする組立水槽である。
【００１２】
　又、第七の手段は、第一乃至第四の手段において、隣接する筒部材同士を筒部材の側端部に設けたフックを用いてスライド結合して筒体を形成することを特徴とする組立水槽である。
【００１３】
　又、第八の手段は、第一乃至第三の手段において、筒体は少なくとも３枚以上の平板状の筒部材を結合して構成し、筒部材同士の結合は少なくても１の結合部は開閉自在に結合部材を用い、他の結合部は回動自在に枢支することを特徴とする組立水槽である。
【考案の効果】
【００１４】
　本考案によれば、組立式で、軽量であるので、仕掛けの作製場所に容易に設置可能であり、収納にも場所をとらず便利であり、充分な深度を有すると共に横方向から観察可能なので、仕掛けの状態やえさの状態を容易且充分に確認することがでた。
【考案を実施するための最良の形態】
【００１５】
　以下本考案の実施の形態を図に従って説明する。図１に示すように組立水槽１（以下単に水槽１という）は筒体２、底板３、袋４から構成されている。尚、透明とは反対側の物体の状態を透視可能なことをいい、無色透明、有色透明のほか半透明も含むものである。
【００１６】
　筒体２は円筒状の筒であり、横断面半円形状の円弧状の湾曲板である筒部材２１，２２を２枚を組合わせて構成している。一方の筒部材２１の両側端部には上端から下端に渡って二股状に形成した係合部２１１，２１１を設けて、他方の筒部材２２の側端部を挿入可能としている。この係合部２１１により筒部材２１，２２の結合を確実なものとすると共に水槽１の組立を容易としている。係合部２１１は筒部材２１の側端部を曲折して構成してもよく、筒部材２１の側端部に平板の部材を固着して構成してもよい。筒部材２１，２２には適宜数の結合部材２７を設置して筒部材２１，２２を結合して円筒状に保持する。結合部材２７としては筒部材２１，２２を確実に結合可能且つ分解可能であれば特に限定されず、各種フック、留め金、マジックテープ（登録商標）等を用いることができる。
【００１７】
　尚、係合部２１１は筒部材２１の側端部の上端から下端に渡って設けるのではなく、適宜長の係合部２１１，２１１…を適宜間隔にて適宜数設けることとしてもよい。係合部２１１は一方の筒部材２１或いは２２にのみ設けるのではなく、筒部材２１と２２が接する部位言い換えれば結合部に筒部材２１又は２２の何れかに形成することとしてもよい。又、図３に示すように筒部材２１，２２の両側端部を上端から下端に渡って或いは対応する適宜位置を鍵状にしてフック２２２，２２３を形成し、筒部材２１，２２のフック２２２，２２３を係合させつつ筒部材２１，２２同士をスライドさせて筒部材２１，２２を結合して円筒状に保持することとしてもよい。この場合には結合部材２７は特に設けなくてもよい。
【００１８】
　筒部材２１，２２はステンレス、アルミニウム、ブリキ等の金属、ポリプロピレン、ポリエチレン、ポリエチレンテレフタレート等の合成樹脂、木材等を用いて成形し、透明でない素材を用いる場合には少なくとも筒部材２１，２２の何れかに筒体２内部を目視可能な打抜き部２５を設け、該打抜き部２５を塞ぐように板ガラスやアクリル板等の透明な窓板２６を設置する。打抜き部２５は水槽１の内部が充分に見渡せる幅、具体的には筒体２の円周の１／３程度と、筒体２の上端部から下端部に渡る高さを備えることが望ましいが、水槽１の強度の観点から全体として所望形状になるように適宜に分割して複数箇所に設けてもよい。尚、筒部材２１，２２は湾曲可能な弾性を有する平板を用いてもよい。
【００１９】
　筒体２の高さ及び径は特に限定されないが、仕掛け７を充分に観察するために高さ８００ミリメートル以上、特に１１００ミリメートル程度、径は２００ミリメートル以上あることが望ましい。尚、筒体２は二枚の筒部材２１，２２から構成するのではなく三枚又は四枚或いはそれ以上の横断面円弧状の湾曲板である筒部材から構成することとしてもよく、又、筒体２は円筒状のほか横断面四角形又は他の多角形の角筒状としてもよく、この場合筒部材は平板状や横断面Ｌ字等に形成したものを使用すればよい。これらの構成、形状とした場合に筒部材の側端部の構成や結合部材等は上述の構成を用いればよい。又、横断面四角形の角筒状筒体とする場合、４枚の平板状の筒部材を結合して構成し、筒部材同士の結合は少なくても１箇所の結合部は開閉自在に結合部材２７，２７…を用い、他の結合部は回動自在にちょうつがいを用いて枢支する。このように構成することにより、不使用時には１つの筒部材の幅に折りたたみ収納することが可能となる。
【００２０】
　底板３は筒体２の底面を構成すると共に、筒体２を安定に支持する為のものであり、円盤状に形成して周縁に円筒２を挿入する溝３１を設けている。或いは円筒２の内径形状に合わせた円柱状の突起３２を設けて該突起３２の側面に円筒２の内側面を密着させて筒体２に該突起３２を挿入させる構成としてもよい。底板３及び溝３１又は突起３２は筒体２の形状に適宜合わせて方形状等に形成してもよい。又、筒体２のみで安定して設置可能であれば設けなくてもよい。
【００２１】
　袋４は透明で内部が透視可能且防水性を備えた材質を用いて形成し、筒体２の径と同等或いはそれ以上の径及び筒体２の高さと同等或いはそれ以上の高さを有する袋である。袋４の素材は透明且防水性を備えたものであれば特に限定されず、塩化ビニル樹脂、ポリスチレン、ポリプロピレン等の合成樹脂を用いればよく、特に透明度が高く、強靭性、高耐水性を備えたものが望ましい。
【００２２】
　次に水槽１の使用方法について説明する。先ず筒部材２１の側端部の係合部２１１，２１１に筒部材２２の側端部を挿入し、結合部材２７，２７…で筒部材２１，２２を結合して円筒状の筒体２を形成し、底板３の溝３１に筒体２の下端部を挿入して筒体２を植立させる。次に筒体２内に袋４を設置して、袋４内に水を注入し、袋４内の水中に仕掛け７を入れて、打抜き部２５及び窓板２６をとおして観察し、調整する。使用後は袋４から水を排出し、筒体２から袋４を取り外し、筒体２を筒部材２１，２２に分解する。
【００２３】
　以上本考案は釣りの仕掛けの観察用の水槽として説明したが、用途はこれに限定されることなく他の用途にも使用可能である。
【図面の簡単な説明】
【００２４】
【図１】本考案一実施例斜視図
【図２】図１Ａ−Ａ断面図
【図３】本考案他実施例部分拡大図
【図４】本考案他実施例使用状態図
【符号の説明】
【００２５】
　１　　　組立水槽
　２　　　筒体
　２１　　筒部材
　２２　　筒部材
　２１１　係合部
　２２２　フック
　２２３　フック
　２５　　打抜き部
　２６　　窓板
　２７　　結合部材
　３　　　底板
　３１　　溝
　４　　　袋
　７　　仕掛け
【図１】
0003099674.tif 000003
【図２】
0003099674.tif 000004
【図３】
0003099674.tif 000005
【図４】
0003099674.tif 000006